(57)【要約】【課題】ウェブページをハイパーリンクにより参照する際に、内容的に適切な一部の領域を表示する技術を提供する。【解決手段】ウェブクライアント１０４は、ブロック分割機能２０２、２０４とブロック内容推定機能２０３、２０４とブロック検索機能２０６を備える。ブロック分割機能２０２、２０４が、ウェブページをその内容に基づいて仮想ブロックに分割する。ブロック内容推定機能２０３、２０４が、仮想ブロックの属性情報をそのウェブページの記載内容から抽出する。ブロック検索機能２０６が、参照元ウェブページの仮想ブロックの属性情報と参照先のウェブページの仮想ブロックの属性情報を比較して、参照元のウェブページの仮想ブロックと関連性の高い参照先ウェブページの仮想ブロックを特定する。【選択図】図２
2011048730.tif 000002
【特許請求の範囲】
【請求項１】
ウェブページを閲覧する端末のブラウザ向けのウェブページ閲覧アシスト方法であって、
前記ウェブページを閲覧する端末は、ブロック分割手段とブロック内容抽出手段とブロック特定手段を備え、
前記ブロック分割手段が、ウェブページをその内容に基づいて仮想ブロックに分割するステップと、
前記ブロック内容抽出手段が、前記仮想ブロックの属性情報をそのウェブページの記載内容から抽出するステップと、
前記ブロック特定手段が、参照元ウェブページの仮想ブロックの属性情報と参照先のウェブページの仮想ブロックの属性情報を比較して、参照元のウェブページの仮想ブロックと関連性の高い参照先ウェブページの仮想ブロックを特定するステップと
を有することを特徴とするウェブページ閲覧アシスト方法。
【請求項２】
請求項１に記載のウェブページ閲覧アシスト方法をコンピュータに実行させるためのプログラム。
【発明の詳細な説明】
【技術分野】
【０００１】
本発明は、ＷＷＷ（World Wide Web）通信分野に属する。具体的には、ハイパーリンクと呼ばれる技術を利用して、参照元のウェブページから参照先のウェブページへジャンプして閲覧する際の、閲覧者視点での表示効率を高め、ウェブページの内容理解を高めるように閲覧をアシストする技術に関する。
【背景技術】
【０００２】
従来のウェブページ閲覧アシスト技術としては、参照元のウェブページから、ハイパーリンクに記載された参照先のウェブページを表示する際に、参照先のウェブページの中で、ハイパーリンク中で指定されたブロックを明示的に表示する機能がある。
【０００３】
この従来のウェブページ閲覧アシスト技術では、参照先となる宛先ウェブページにおいてｎａｍｅ属性やｉｄ属性を用いて、明示的にウェブページを分割し、フラグメント識別子を付与する必要があった。
【０００４】
また、この必要条件を満たす場合に、参照元のウェブページにおいて、ハイパーリンクにフラグメント識別子を「＃」に続いて記述して、参照先のウェブページおよびその内部で注目すべきブロックを指定する必要があった。
【０００５】
また、ハイパーテキスト情報を複数のハイパーテキスト情報にブロック分割するアルゴリズムの例として、ＶＩＰＳ（Vision-based Page Segmentation Algorithm）（非特許文献１）などがある。
【先行技術文献】
【非特許文献】
【０００６】
【非特許文献１】D. Cai, S. Yu, J.-R. Wen, and W.-Y. Ma, “VIPS:a Vision-based Page Segmentation Algorithm,” Tech. Rep. MSR-TR-2003-79, Microsoft Research, Nov.2003.
【発明の概要】
【発明が解決しようとする課題】
【０００７】
従来のウェブページ閲覧アシスト技術では、参照元ブロックおよび参照先ブロックの内容に応じて、ブロック間の関連性を推定することができなかった。
【０００８】
このため、従来のウェブページ閲覧アシスト技術では、参照先となる宛先ウェブページが、参照元のウェブページの意向に沿って適切にブロック化されている必要があった。
【０００９】
また、参照元ウェブページにおいて、注目すべき参照先ウェブページのブロックを明示的に指定する必要があった。
【００１０】
ところで、運用面からは、参照先のウェブページは参照元のウェブページとは作成者あるいは管理者が異なる場合が多く、参照元のウェブページの都合で参照先のウェブページのブロック構造を定義することは、困難な場合が多かった。
【００１１】
本発明の目的は、明示的にブロック化されていないウェブページをハイパーリンクにより参照する際に、長大なウェブページの中から、内容的に適切な一部の領域を明示的かつリアルタイムに表示することが可能となる技術を提供することにある。
【課題を解決するための手段】
【００１２】
本発明のウェブページ閲覧アシスト技術では、ウェブページが明示的にブロック化されていなくても、これを自動的に仮想的にブロック化すると共に、仮想ブロック間の参照関係が明示的に指定されていなくても、仮想ブロック間の関連性を評価して、参照すべき仮想ブロックを自動的に推定する機能を備えることで参照先のウェブページが参照元のウェブページとは作成者あるいは管理者が異なる場合においても、参照先のウェブページの中の一部の領域を、特に注目すべき仮想ブロックとして表示することが可能となる。
【００１３】
具体的には、発明は、ウェブページを閲覧する端末のブラウザ向けのウェブページ閲覧アシスト方法であって、前記ウェブページを閲覧する端末は、ブロック分割手段とブロック内容抽出手段とブロック特定手段を備え、前記ブロック分割手段が、ウェブページをその内容に基づいて仮想ブロックに分割するステップと、前記ブロック内容抽出手段が、前記仮想ブロックの属性情報をそのウェブページの記載内容から抽出するステップと、前記ブロック特定手段が、参照元ウェブページの仮想ブロックの属性情報と参照先のウェブページの仮想ブロックの属性情報を比較して、参照元のウェブページの仮想ブロックと関連性の高い参照先ウェブページの仮想ブロックを特定するステップとを有する。
【発明の効果】
【００１４】
本発明により、明示的にブロック化されていないウェブページをハイパーリンクにより参照する際に、長大なウェブページの中から、内容的に適切な一部の領域を明示的かつリアルタイムに表示することが可能となる。これにより、ネットサーフィンと呼ばれるような複数のウェブページをホップするような形態でのウェブページ閲覧において、必要な情報のみを短時間で入手するといった閲覧効率の改善が可能となる。
【図面の簡単な説明】
【００１５】
【図１】本発明の実施例のネットワーク構成を示す図である。
【図２】本発明の実施例のウェブクライアント構成を示す図である。
【図３】属性情報が付加されたウェブページブロック情報のフォーマット例を示す図である。
【図４】本発明の実施例のウェブページ構成を示す図である。
【発明を実施するための形態】
【００１６】
以下、図面を参照して、本発明の実施例を詳細に説明する。なお、全図において、同一機能を有するものは同一符号を付け、その繰り返しの説明は省略する。
【実施例】
【００１７】
図１は本発明の実施例のネットワーク構成を示す図である。
【００１８】
この構成では、ウェブサーバ＃１（１０１）、ウェブサーバ＃２（１０２）、ウェブサーバ＃３（１０３）、およびウェブクライアント１０４がインターネット１０５で接続される。ここで、ウェブサーバ＃１（１０１）はウェブページ＃１を、ウェブサーバ＃２（１０２）はウェブページ＃２を、ウェブサーバ＃３（１０３）はウェブページ＃３を含む。ウェブクライアント１０４はウェブページを閲覧する端末である。なお、図１では、ウェブサーバ３台、ウェブクライアント１台の例を示しているが、これらの台数に制限はない。また、ウェブページ＃１〜＃３が例えば1台のウェブサーバの中に含まれていてもよい。
【００１９】
この構成において、ウェブクライアント１０４は、ウェブサーバ＃１（１０１）に参照先ウェブページ情報を要求送信すると、ウェブページ＃１を応答受信する。また、ウェブクライアント１０４は、ウェブサーバ＃２（１０２）に参照先ウェブページ情報を要求送信すると、ウェブページ＃２を応答受信する。さらに、ウェブクライアント１０４は、ウェブサーバ＃３（１０３）に参照先ウェブページ情報を要求送信すると、ウェブページ＃３を応答受信する。
【００２０】
各ウェブサーバは従来技術で構成される。ウェブクライアント１０４も従来技術で構成した場合、ウェブページ＃１からウェブページ＃３を参照する場合もウェブページ＃２からウェブページ＃３を参照する場合も同様にＧＵＩ（Graphical User Interface）表示される。
【００２１】
ウェブクライアント１０４を本発明の実施例で構成した場合、ウェブページ＃１からウェブページ＃３を参照する場合とウェブページ＃２からウェブページ＃３を参照する場合でウェブページ＃１およびウェブページ＃２の内容に応じて異なる領域が強調的にＧＵＩ表示される場合がある。
【００２２】
図２は本発明の実施例のウェブクライアント構成を示す図である。
【００２３】
この構成では、インターネット１０５に接続されたウェブクライアント１０４は、ブラウザＧＵＩ２０１、参照元ウェブページブロック分割機能２０２、参照元ブロック内容推定機能（参照元ブロック内容抽出機能）２０３、参照先ウェブページブロック分割機能２０４、参照先ブロック内容推定機能（参照先ブロック内容抽出機能）２０５、およびブロック検索機能（ブロック特定機能）２０６で構成される。もちろん、ウェブクライアント１０４は通常のウェブクライアントが有する機能も有することはいうまでもない。
【００２４】
この構成では、ブラウザＧＵＩ２０１において、ウェブページ＃１からウェブページ＃３を参照する場合、ウェブサーバ＃１（１０１）が参照元ウェブサーバ、ウェブページ＃１が参照元ウェブページ、ウェブサーバ＃３（１０３）が参照先ウェブサーバ、ウェブページ＃３が参照先ウェブページとなる。
【００２５】
この際、ブラウザＧＵＩ２０１は、参照元ウェブページ情報および参照元領域情報を参照元ウェブページブロック分割機能２０２へ送信する。
【００２６】
ここで、参照元ウェブページ情報は、ブラウザＧＵＩ２０１が、参照元ウェブサーバから受信した、参照元ウェブページのｈｔｔｐ  ｒｅｓｐｏｎｓｅ  ｍｅｓｓａｇｅに含まれるハイパーテキスト情報である。参照元領域情報は、前記の参照元ウェブページのハイパーテキスト情報において、参照先ウェブページへのハイパーリンクが定義された領域であり、ＵＲＬ（Uniform Resource Locator）情報である。ブラウザＧＵＩ２０１は、参照元ウェブページ情報および参照元領域情報を、ハイパーテキスト情報として、参照元ウェブページブロック分割機能２０２へ送る。参照元ウェブページ情報および参照元領域情報により、参照元ウェブページブロック分割機能２０２は、参照元ウェブページ情報から、参照元ブロックを抽出することが可能となる。
【００２７】
また、併せて、ブラウザＧＵＩ２０１は、参照先ウェブページのアドレス情報を参照先ウェブページブロック分割機能２０４へ送信する。
【００２８】
ここで、参照先ウェブページのアドレス情報は、ブラウザＧＵＩ２０１が、参照元ウェブサーバから受信した、参照元ウェブページのハイパーテキスト情報において、参照先ウェブページへのハイパーリンクが定義された領域であり、すなわちＵＲＬ情報である。ブラウザＧＵＩ２０１は、参照先ウェブページのアドレス情報を、ハイパーテキスト情報として、参照先ウェブページブロック分割機能２０４へ送る。参照先ウェブページのアドレス情報により、参照先ウェブページブロック分割機能２０４は、参照先ウェブページの取得要求が可能となる。
【００２９】
参照元ウェブページブロック分割機能２０２は、参照元ウェブページ情報および参照元領域情報を受信すると、参照元ウェブページ情報を複数の仮想的なブロックに分割すると共に、参照元領域情報を含むブロックのみを参照元ウェブページブロック情報として抽出し、これを参照元ブロック内容推定機能２０３へ送信する。
【００３０】
ここで、参照元ウェブページブロック情報は、ブラウザＧＵＩ２０１が、参照元ウェブサーバから受信した、参照元ウェブページのハイパーテキスト情報において、参照元領域情報を含む一部分である。参照元ウェブページブロック分割機能２０２は、参照元ウェブページブロック情報を、ハイパーテキスト情報として、参照元ブロック内容推定機能２０３へ送る。参照元ウェブページブロック情報により、参照元ブロック内容推定機能２０３は、当該ウェブページブロックの特徴を表す特徴語を抽出することが可能となる。また、ブロック分割のアルゴリズムについては特に限定しないため、目的に応じて任意のアルゴリズムを採用して良い。ブロック分割のアルゴリズムの例としては、ＶＩＰＳ（Vision-based Page Segmentation Algorithm）（非特許文献１）などがある。
【００３１】
参照元ブロック内容推定機能２０３は参照元ウェブページブロック情報を受信すると、この内容を解析し、該当する特徴語が属性情報として付与された参照元ウェブページブロック情報として、ブロック検索機能２０６へ送信する。
【００３２】
ここで、特徴語とは、参照元ウェブページブロック情報に含まれるテキスト情報である。参照元ブロック内容推定機能２０３は、属性情報として、該当のテキスト情報を付加した参照元ウェブページブロック情報を、ブロック検索機能２０６へ送信する。特徴を表す特徴語を抽出するアルゴリズムについては特に限定しないため、目的に応じて任意のアルゴリズムを採用して良い。ウェブページの特徴を表す特徴語を抽出すアルゴリズムの例としては、ＴＦ−ＩＤＦなどがある。送信される情報は、ハイパーテキスト情報であり、例えば、図３に示すフォーマットで、生成される。図３では、＜ａｔｔｒｉｂｕｔｅ＞＜／ａｔｔｒｉｂｕｔｅ＞タグにより、特徴語を指定する。複数の特徴語を指定する場合も図３に示すように複数列挙される。また、＜ｄｉｖｉｄｅｄ−ｂｏｄｙ＞＜／ｄｉｖｉｄｅｄ−ｂｏｄｙ＞により、該当するブロックのウェブページのハイパーテキスト情報を指定する。ブロック検索機能２０６は、特徴語を用いて、参照先ウェブページブロック内の参照元ウェブページと関連性の高いブロックを特定することが可能となる。
【００３３】
参照先ウェブページブロック分割機能２０４は、参照先ウェブページのアドレス情報を受信すると、該当アドレスを属性情報として付与した参照先ウェブページ情報要求をインターネット１０５へ送信する。
【００３４】
この際、参照先ウェブページのアドレス情報とは、前記の通りＵＲＬ情報であり、したがって、参照先ウェブページ情報要求とは、当該ＵＲＬに対するｈｔｔｐ  ｒｅｑｕｅｓｔ  ｍｅｓｓａｇｅに該当する。
【００３５】
参照先ウェブページ情報要求はインターネット１０５を介して参照先ウェブサーバへ届けられる。参照先ウェブサーバサーバはインターネット１０５を介して参照先ウェブページ情報応答をウェブクライアント１０４へ返信する。
【００３６】
この際、参照先ウェブページ情報応答とは、当該ＵＲＬに対する参照先ウェブページのｈｔｔｐ  ｒｅｓｐｏｎｓｅ  ｍｅｓｓａｇｅのハイパーテキスト情報である。
【００３７】
参照先ウェブページブロック分割機能２０４は、参照先ウェブページ情報応答を受信し、これを複数の仮想的なブロックに分割すると、ブロック分割された参照先ウェブページ情報としてブラウザＧＵＩ２０１および参照先ブロック内容推定機能２０５へ送信する。
【００３８】
ここで、ブロック分割された参照先ウェブページ情報とは、前記の該当ＵＲＬに対するハイパーテキスト情報を複数のハイパーテキスト情報に分割したものである。参照先ウェブページブロック分割機能２０４は、ブロック分割された参照先ウェブページ情報として、複数のハイパーテキスト情報を参照先ブロック内容推定機能２０５に送る。また、ここでも、ブロック分割のアルゴリズムについては特に限定しないため、目的に応じて任意のアルゴリズムを採用して良い。ブロック分割のアルゴリズムの例としては、ＶＩＰＳ（Vision-based Page Segmentation Algorithm）（非特許文献１）などがある。
【００３９】
参照先ブロック内容推定機能２０５はブロック分割された参照先ウェブページ情報を受信すると、ブロック毎、すなわち該当のハイパーテキスト情報毎に、この内容を解析し、それぞれ該当する特徴語を属性情報として付与する。また、これを、特徴語が属性情報として付与された参照先ウェブページのブロック情報として、ブロック検索機能２０６へ送信する。
【００４０】
ここで、特徴語とは、ブロック分割された参照先ウェブページブロック情報に含まれるハイパーテキスト情報である。参照先ブロック内容推定機能は、属性情報として、該当のテキスト情報を付加した参照先ウェブページブロック情報を、ブロック毎に複数、ブロック検索機能へ送信する。特徴を表す特徴語を抽出するアルゴリズムについては特に限定しないため、目的に応じて任意のアルゴリズムを採用して良い。ウェブページの特徴を表す特徴語を抽出すアルゴリズムの例としては、ＴＦ−ＩＤＦなどがある。送信される情報は、ハイパーテキスト情報であり、例えば、図３に示すフォーマットで、前記のブロック毎に生成される。
【００４１】
ブロック検索機能２０６は、参照先ウェブページブロック情報に含まれる特徴語を用いて、参照先ウェブページブロック内の参照元ウェブページと関連性の高いブロックを特定することが可能となる。
【００４２】
ブロック検索機能２０６は、参照元ブロック内容推定機能２０３から、特徴語が属性情報として付与された参照元ウェブページブロック情報を受信し、参照先ブロック内容推定機能２０５から、特徴語が属性情報として付与された参照先ウェブページのブロック情報を受信すると、参照元ウェブページブロック情報に付与された特徴語を元に、参照先ウェブページのブロック情報に対する検索を行う。
【００４３】
この検索では、特徴語の関連性の高さについて評価する。検索アルゴリズムについては、特に限定しないため、目的に応じて任意のアルゴリズムを採用して良い。具体例としては、ベクトル空間モデルによる特徴語ＴＦ−ＩＤＦ値のコサイン相関値を用いて関連性の高さを算出する。
【００４４】
この検索の結果、参照元ウェブページブロックと最も関連性の高い参照先ウェブページブロックが特定され、この情報を元に、強調表示すべき参照先ウェブページブロック情報を生成して、ブラウザＧＵＩへ通知する。
【００４５】
ブラウザＧＵＩ２０１は、参照先ウェブページブロック分割機能２０４からブロック分割された参照先ウェブページ情報を受信し、ブロック検索機能２０６から強調表示すべき参照先ウェブページブロック情報を受信すると、該当する参照先ウェブページブロック情報を強調した上で、参照先ウェブページ情報を表示する。
【００４６】
この際、ウェブページ＃１を参照元ウェブページ、ウェブページ＃３を参照先ウェブページとして、ウェブページ＃３を表示する場合と、ウェブページ＃２を参照元ウェブページ、ウェブページ＃３を参照先ウェブページとして、ウェブページ＃３を表示する場合とでは、表示形態が異なる場合がある。
【００４７】
これは、ウェブページ＃１とウェブページ＃２ではその内容が異なる場合があるからである。
【００４８】
以下、このことについて説明する。
【００４９】
図４は本発明の実施例のウェブページ構成を示す図である。
【００５０】
この構成では、参照元ウェブページとしてウェブページ＃１とウェブページ＃２があり、参照先ウェブページとしてウェブページ＃３がある。
【００５１】
ウェブページ＃１は参照元ウェブページブロック分割機能２０２によってブロック＃１−１とブロック＃１−２に分割可能なように構成される。
【００５２】
ウェブページ＃２は参照元ウェブページブロック分割機能２０２によってブロック＃２−１とブロック＃２−２に分割可能なように構成される。
【００５３】
ウェブページ＃３は参照先ウェブページブロック分割機能２０４によってブロック＃３−１、ブロック＃３−２、ブロック＃３−３およびブロック＃３−４に分割可能なように構成される。
【００５４】
ブロック＃１−１は、ハイパーリンクでウェブページ＃３を参照先として示し、参照元ブロック内容推定機能２０３が特徴語として「赤」を割り当て可能な内容で構成される。
【００５５】
ブロック＃１−２は、ハイパーリンクでウェブページ＃３を参照先として示し、参照元ブロック内容推定機能２０３が特徴語として「橙」を割り当て可能な内容で構成される。
【００５６】
ブロック＃２−１は、ハイパーリンクでウェブページ＃３を参照先として示し、参照元ブロック内容推定機能２０３が特徴語として「黄」を割り当て可能な内容で構成される。
【００５７】
ブロック＃２−２は、ハイパーリンクでウェブページ＃３を参照先として示し、参照元ブロック内容推定機能２０３が特徴語として「緑」を割り当て可能な内容で構成される。
【００５８】
ブロック＃３−１は、参照先ブロック内容推定機能２０５が特徴語として「バナナ」を割り当て可能な内容で構成される。
【００５９】
ブロック＃３−２は、参照先ブロック内容推定機能２０５が特徴語として「リンゴ」を割り当て可能な内容で構成される。
【００６０】
ブロック＃３−３は、参照先ブロック内容推定機能２０５が特徴語として「ミカン」を割り当て可能な内容で構成される。
【００６１】
ブロック＃３−４は、参照先ブロック内容推定機能２０５が特徴語として「キウイ」を割り当て可能な内容で構成される。
【００６２】
また、ウェブページ＃１はブラウザＧＵＩ（２０１）でブロック＃１−１がＧＵＩ表示領域として表示されているものとし、ウェブページ＃２はブラウザＧＵＩ２０１でブロック＃２−１がＧＵＩ表示領域として表示されているものとする。
【００６３】
ここで、ウェブクライアント１０４が、ウェブページ＃１のブロック＃１−１を参照中に、ハイパーリンクを利用して、ウェブページ＃３を参照しようとした場合、参照元ブロックの特徴語「赤」と参照先ウェブページの各ブロックの特徴語「バナナ」、「リンゴ」、「ミカン」、「キウイ」が比較される。この際、ブロック検索機能２０６が、「赤」と「リンゴ」の関連性が最も高いと判断すると、参照元ブロック＃１−１と最も関連性の高い参照先ブロックとしてブロック＃３−２を特定する。
【００６４】
これにより、ウェブクライアント１０４はブラウザＧＵＩ２０１で、ウェブページ＃３を表示する際に、ＧＵＩ表示領域にブロック＃３−２が含まれるようにすることで、ブロック＃３−２を強調的に表示する。
【００６５】
また、ウェブクライアントが、ウェブページ＃２のブロック＃２−１を参照中に、ハイパーリンクを利用して、ウェブページ＃３を参照しようとした場合、参照元ブロックの特徴語「黄」と参照先ウェブページの各ブロックの特徴語「バナナ」、「リンゴ」、「ミカン」、「キウイ」が比較される。この際、ブロック検索機能が、「黄」と「バナナ」の関連性が最も高いと判断すると、参照元ブロック＃２−１と最も関連性の高い参照先ブロックとしてブロック＃３−１を特定する。
【００６６】
これにより、ウェブクライアント１０４はブラウザＧＵＩ２０１で、ウェブページ＃３を表示する際に、ＧＵＩ表示領域にブロック＃３−１が含まれるようにすることで、ブロック＃３−１を強調的に表示する。
【００６７】
すなわち、ウェブクライアント１０４はブラウザＧＵＩ２０１で、ウェブページ＃３を表示する際に、参照元ウェブページが異なると、異なるブロックを参照先ブロックとしてＧＵＩ表示領域に含めることとなる。
【００６８】
また、ウェブクライアント１０４が、ウェブページ＃１のブロック＃１−２を参照中に、ハイパーリンクを利用して、ウェブページ＃３を参照しようとした場合、参照元ブロックの特徴語「橙」と参照先ウェブページの各ブロックの特徴語「バナナ」、「リンゴ」、「ミカン」、「キウイ」が比較される。この際、ブロック検索機能２０６が、「橙」と「ミカン」の関連性が最も高いと判断すると、参照元ブロック＃１−２と最も関連性の高い参照先ブロックとしてブロック＃３−３を特定する。
【００６９】
これにより、ウェブクライアント１０４はブラウザＧＵＩ２０１で、ウェブページ＃３を表示する際に、ＧＵＩ表示領域にブロック＃３−３が含まれるようにすることで、ブロック＃３−３を強調的に表示する。
【００７０】
すなわち、ウェブクライアント１０４はブラウザＧＵＩ２０１で、ウェブページ＃３を表示する際に、参照元ウェブページがウェブページ＃１で同じであっても参照元ブロックが＃１−１と＃１−２で異なると、異なるブロック＃３−２あるいは＃３−２を参照先ブロックとしてＧＵＩ表示領域に含めることとなる。
【００７１】
図４の例では、ＧＵＩ表示領域に表示することにより強調的に表示したが、他の方法を用いて特定されたブロックをユーザが注目するように表示してもよい。
【００７２】
以上説明した本発明の実施例のウェブクライアント１０４は、以上に説明した機能を実現する手段を備える端末であり、コンピュータとプログラムで構成することができる。また、そのプログラムの一部または全部をハードウェアで構成することもできる。
【００７３】
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００７４】
１０１…ウェブサーバ＃１、１０２…ウェブサーバ＃２、１０３…ウェブサーバ＃３、１０４…ウェブクライアント、１０５…インターネット、２０１…ブラウザＧＵＩ、２０２…参照元ウェブページブロック分割機能、２０３…参照元ブロック内容推定機能（参照元ブロック内容抽出機能）、２０４…参照先ウェブページブロック分割機能、２０５…参照先ブロック内容推定機能（参照先ブロック内容抽出機能）、２０６…ブロック検索機能（ブロック特定機能）
【図１】
2011048730.tif 000003
【図２】
2011048730.tif 000004
【図３】
2011048730.tif 000005
【図４】
2011048730.tif 000006